(57)【要約】【課題】  縦長のリモコン本体の手前側に設けられた蓋部を開けた状態から閉める方向へ手が滑ることなく容易にスライドでき、このスライドする操作を片手でも簡単に行うことができ、しかも部品点数を増やすことなくコスト的にも有利なリモコン送信機を提供する。【解決手段】  ハードディスクとビデオデッキを備えたＤＶＤレコーダーを操作する縦長のリモコン本体１の手前側にスライドして開閉する蓋部２を有するリモコン送信機において、蓋部２の表面に開閉時に指が滑らないように静止摩擦が生じるように隅部に間隔をおいた略菱形形状の溝２ａからなる掛り止め部を形成すると共に、リモコン本体１の両側の手前側の側面に指が滑らないように静止摩擦が生じるように隅部に間隔をおいた略菱形形状の溝１ａからなる掛り止め部を形成した。【選択図】  図１
2009111840.tif 000002
【特許請求の範囲】
【請求項１】
ハードディスクとビデオデッキを備えたＤＶＤレコーダーを操作する縦長のリモコン本体の手前側にスライドして開閉する蓋部を有するリモコン送信機において、前記蓋部の表面に開閉時に指が滑らないように静止摩擦が生じる掛り止め部を形成すると共に、前記リモコン本体の両側の手前側の側面に指が滑らないように静止摩擦が生じる掛り止め部を形成したことを特徴とするリモコン送信機。
【請求項２】
前記蓋部とリモコン本体に形成された掛り止め部は、隅部に間隔をおいた略菱形形状の溝に形成されている請求項１に記載のリモコン送信機。
【請求項３】
前記蓋部とリモコン本体に形成された掛り止め部は、隅部に間隔をおいた二重の略菱形形状の溝に形成されている請求項１に記載のリモコン送信機。
【請求項４】
前記蓋部とリモコン本体に形成された掛り止め部は、渦巻き形状の溝に形成されている請求項１に記載のリモコン送信機。
【請求項５】
前記蓋部とリモコン本体に形成された掛り止め部は、隅部に間隔をおいた略菱形形状の凸条部に形成されている請求項１に記載のリモコン送信機。
【請求項６】
前記掛り止め部は、前記蓋部の横方向に複数設けられていると共に、前記リモコン本体の両側の手前側の側面に縦方向に複数設けられている請求項１乃至５のいずれかに記載のリモコン送信機。
【発明の詳細な説明】
【技術分野】
【０００１】
本発明は、ハードディスクとビデオデッキを備えたＤＶＤレコーダーを操作する縦長のリモコン本体の手前側にスライドして開閉する蓋部を有するリモコン送信機に関するものである。
【背景技術】
【０００２】
従来、ハードディスクとビデオデッキを備えたＤＶＤレコーダーのリモコン送信機は、図５（ａ）（ｂ）に示すように、全長が２５．５ｃｍの縦長のリモコン本体１０１の手前側にスライドして開閉する蓋部１０２が設けられており、蓋部１０２を手前側にスライドさせて開けると全長が３１ｃｍにもなっていた。このため、図５（ｃ）に示すように、蓋部１０２が開いた状態から片手で奥側にスライドさせて戻して閉めるときに手が滑るために奥側にスライドさせることができず、蓋部１０２を図１（ａ）（ｂ）の状態（閉めた状態）に戻すことが困難であるという問題があった。
【０００３】
第１の従来技術を図６、図７に示す。この従来のリモコン送信機は、図６、図７に示すように、上面から操作体の複数のキー２１３が突出した上ケース２１１と、この上ケース２１１下面を覆う下ケース２１７の外縁間に、略コの字状の弾性体２１８を挟持してリモコン送信機を構成することによって、滑りにくく、手にフィットして持ちやすくなるため、リモコン送信機の落下を防ぎ、確実な保持が可能で、操作のし易いものを得ることができる。（例えば、特許文献１参照）。
ところが、これにおいては、弾性体２１８を必要とするから、部品点数が多くなるという問題があり、また、蓋部を設けたものではなかった。
【０００４】
【特許文献１】特開２００６−１９８８０号公報
【発明の開示】
【発明が解決しようとする課題】
【０００５】
本発明は上記従来の問題に鑑みてなされたものであって、縦長のリモコン本体の手前側に設けられた蓋部を開けた状態から閉める方向へ手が滑ることなく容易にスライドさせることができ、このスライドする操作を片手でも簡単に行うことができ、しかも部品点数を増やすことなくコスト的にも有利なリモコン送信機を提供することを目的としている。
【課題を解決するための手段】
【０００６】
本発明は、上記課題を解決するために提案されたものであって、請求項１に記載の発明は、ハードディスクとビデオデッキを備えたＤＶＤレコーダーを操作する縦長のリモコン本体の手前側にスライドして開閉する蓋部を有するリモコン送信機において、前記蓋部の表面に開閉時に指が滑らないように静止摩擦が生じる掛り止め部を形成すると共に、前記リモコン本体の両側の手前側の側面に指が滑らないように静止摩擦が生じる掛り止め部を形成したことを特徴としている。
【０００７】
請求項２に記載の発明は、請求項１に記載の発明において、前記蓋部とリモコン本体に形成された掛り止め部は、隅部に間隔をおいた略菱形形状の溝に形成されている。
【０００８】
請求項３に記載の発明は、請求項１に記載の発明において、前記蓋部とリモコン本体に形成された掛り止め部は、隅部に間隔をおいた二重の略菱形形状の溝に形成されている。
【０００９】
請求項４に記載の発明は、請求項１に記載の発明において、前記蓋部とリモコン本体に形成された掛り止め部は、渦巻き形状の溝に形成されている。
【００１０】
請求項５に記載の発明は、請求項１に記載の発明において、前記蓋部とリモコン本体に形成された掛り止め部は、隅部に間隔をおいた略菱形形状の凸条部に形成されている。
【００１１】
請求項６に記載の発明は、請求項１乃至５のいずれかに記載の発明において、前記掛り止め部は、前記蓋部の横方向に複数設けられていると共に、前記リモコン本体の両側の手前側の側面に縦方向に複数設けられている。
【発明の効果】
【００１２】
請求項１に記載の発明によれば、リモコン本体の手前側に設けられた蓋部の表面に掛り止め部が設けられ、リモコン本体の両側の手前側の側面に掛り止め部が形成されているから、リモコン本体の掛り止め部と蓋部の掛り止め部に指を当てることによって、この蓋部を開けた状態から閉める方向へ移動させるときに、各掛り止め部と指の指紋との間に静止摩擦が生じることにより、手の指が滑ることなく容易にスライドさせることができる。従って、蓋部をスライドさせる動作を片手でも簡単に行うことができる。また、部品点数を増やすことがないので、コスト的にも有利である。
【００１３】
請求項２に記載の発明によれば、掛り止め部が隅部に間隔をおいた略菱形形状の溝に形成されているから、この溝と指の指紋との間に静止摩擦が生じて、手の指が滑ることなく蓋部を容易にスライドさせることができて、蓋部を開けた状態から閉めた状態に簡単にスライドさせることができる。
【００１４】
請求項３に記載の発明によれば、掛り止め部が隅部に間隔をおいた二重の略菱形形状の溝に形成されているから、この溝と指の指紋との間に大きい静止摩擦が生じて、手の指がより一層滑ることなく、蓋部を開けた状態から閉めた状態により簡単にスライドさせて蓋部を閉めることができる。
【００１５】
請求項４に記載の発明によれば、掛り止め部が渦巻き形状の溝に形成されているから、この渦巻き形状の溝が指の指紋に近い形状なので、この溝と指の指紋との間に確実な静止摩擦が生じて、手の指が全く滑ることなく、蓋部を開けた状態から閉めた状態に簡単にスライドさせて蓋部を閉めることができる。
【００１６】
請求項５に記載の発明によれば、掛り止め部が隅部に間隔をおいた略菱形形状の凸条部に形成されているから、この凸条部に指が引っ掛かって、手の指が完全に滑ることがなく、蓋部を開けた状態から閉めた状態により一層簡単にスライドさせて蓋部を閉めることができる。
【００１７】
請求項６に記載の発明によれば、掛り止め部が蓋部の横方向に複数設けられていると共にリモコン本体の両側の側面に複数設けられているから、片手の全ての指を掛り止め部に当てることができることにより、掛り止め部と５本の指の指紋との間に強い静止摩擦が生じて強い力で蓋部を開けた状態から閉めた状態にスライドさせることができる。
【発明を実施するための最良の形態】
【００１８】
以下、本発明に係るリモコン送信機の実施の形態について、図を参照しつつ説明する。
図１は本発明の第１実施形態のリモコン送信機を示し、（ａ）は蓋部を閉めた状態の正面図、（ｂ）はその側面図、（ｃ）は蓋部を開けた状態の正面図である。
この第１実施形態のリモコン送信機は、図１（ａ）（ｂ）（ｃ）に示すように、例えば全長が２５．５ｃｍの縦長のリモコン本体１の手前側にスライドして開閉する蓋部２が設けられており、蓋部２を手前側にスライドさせて開けると全長が例えば３１ｃｍになるものである。蓋部２の表面に指が滑らないように指の指紋との間に静止摩擦が生じるように、隅部に間隔をおいた複数の略菱形形状の溝２ａからなる掛り止め部が形成されていると共に、リモコン本体１の両側の側面に指が滑らないように静止摩擦が生じるように、隅部に間隔をおいた複数の略菱形形状の溝１ａからなる掛り止め部が形成されている。リモコン本体１の表面には複数の各種ボタン１ｂが設けられており、蓋部２が位置する部分の表面にも複数の各種ボタン１ｂが設けられている。
【００１９】
従って、この第１実施形態によれば、リモコン本体１の複数の略菱形形状の溝１ａからなる掛り止め部と蓋部２の複数の略菱形形状の溝２ａからなる掛り止め部に指を当てることによって、蓋部２を図１（ｃ）に示す開けた状態から図１（ａ）（ｂ）に示す閉める方向へ移動させるときに、各略菱形形状の溝１ａ、２ａと指の指紋との間に静止摩擦が生じることにより、手の指が滑ることなく蓋部２を容易にスライドさせることができる。このようにスライドできることによって、片手でもスライドさせる動作を簡単に行うことができる。また、部品点数を増やすことがないので、コスト的にも有利である。
【００２０】
更に、略菱形形状の溝２ａからなる掛り止め部が蓋部２の横方向に複数設けられていると共にリモコン本体１の両側の側面に略菱形形状の溝１ａからなる掛り止め部が複数設けられているから、片手の全ての指を略菱形形状の溝１ａ、２ａからなる掛り止め部に当てることができることにより、略菱形形状の溝１ａ、２ａからなる掛り止め部と５本の指の指紋との間に強い静止摩擦が生じて強い力で蓋部２を開けた状態から閉めた状態にスライドさせることができる。
【００２１】
図２は第２実施形態のリモコン送信機を示し、（ａ）は蓋部を閉めた状態の正面図、（ｂ）はその側面図、（ｃ）は蓋部を開けた状態の正面図である。
この第２実施形態のリモコン送信機は、図２（ａ）（ｂ）（ｃ）に示すように、蓋部２の表面に隅部に間隔をおいた二重の略菱形形状の溝２ｂが複数形成されていると共に、リモコン本体１の両側の手前側の側面に隅部に間隔をおいた二重の略菱形形状の溝１ｃが形成されている。
【００２２】
従って、この第２実施形態によれば、複数の掛り止め部が隅部に間隔をおいた二重の略菱形形状の溝１ｃ、２ｂに形成されているから、これらの溝１ｃ、２ｂと指の指紋との間に大きい静止摩擦が生じて、手の指がより一層滑ることなく、図２（ｂ）に示す蓋部２を開けた状態から図２（ａ）（ｂ）に示す閉めた状態により簡単にスライドさせて蓋部２を閉めることができる。
【００２３】
図３は第３実施形態のリモコン送信機を示し、（ａ）は蓋部を閉めた状態の正面図、（ｂ）はその側面図、（ｃ）は蓋部を開けた状態の正面図である。
この第３実施形態のリモコン送信機は、図３（ａ）（ｂ）（ｃ）に示すように、蓋部２の表面に渦巻き形状の複数の溝２ｃからなる掛り止め部が形成されていると共に、リモコン本体１の両側の手前側の側面に渦巻き形状の複数の溝１ｄからなる掛り止め部が形成されている。
【００２４】
従って、この第３実施形態によれば、複数の掛り止め部が渦巻き形状の溝１ｄ、２ｃに形成されているから、これらの渦巻き形状の溝１ｄ、２ｃが指の指紋に近い形状なので、溝１ｄ、２ｃと指の指紋との間に確実な静止摩擦が生じて、手の指が全く滑ることなく、蓋部２を開けた状態から閉めた状態に簡単にスライドさせて蓋部２を閉めることができる。
【００２５】
図４は第４実施形態のリモコン送信機を示し、（ａ）は蓋部を閉めた状態の正面図、（ｂ）はその側面図、（ｃ）は蓋部を開けた状態の正面図である。
この第４実施形態のリモコン送信機は、図４（ａ）（ｂ）（ｃ）に示すように、蓋部２の表面に隅部に間隔をおいた複数の略菱形形状の凸条部２ｄからなる掛り止め部が形成されていると共に、リモコン本体１の両側の手前側の側面に隅部に間隔をおいた複数の略菱形形状の凸条部１ｅからなる掛り止め部が形成されている。
【００２６】
従って、この第４実施形態によれば、複数の掛り止め部が隅部に間隔をおいた略菱形形状の凸条部１ｅ、２ｄに形成されているから、これらの凸条部１ｅ、２ｄに指が引っ掛かって、手の指が完全に滑ることがなく、蓋部２を開けた状態から閉めた状態により一層簡単にスライドさせて蓋部２を閉めることができる。
【図面の簡単な説明】
【００２７】
【図１】本発明の第１実施形態のリモコン送信機を示し、（ａ）は蓋部を閉めた状態の正面図、（ｂ）はその側面図、（ｃ）は蓋部を開けた状態の正面図である。
【図２】第２実施形態のリモコン送信機を示し、（ａ）は蓋部を閉めた状態の正面図、（ｂ）はその側面図、（ｃ）は蓋部を開けた状態の正面図である。
【図３】第３実施形態のリモコン送信機を示し、（ａ）は蓋部を閉めた状態の正面図、（ｂ）はその側面図、（ｃ）は蓋部を開けた状態の正面図である。
【図４】第４実施形態のリモコン送信機を示し、（ａ）は蓋部を閉めた状態の正面図、（ｂ）はその側面図、（ｃ）は蓋部を開けた状態の正面図である。
【図５】従来のリモコン送信機を示し、本発明の第１実施形態のリモコン送信機を示し、（ａ）は蓋部を閉めた状態の正面図、（ｂ）はその側面図、（ｃ）は蓋部を開けた状態の正面図である。
【図６】従来の他のリモコン送信機を示す断面図である。
【図７】図６のリモコン送信機の分解斜視図である。
【符号の説明】
【００２８】
１        リモコン本体
１ａ      略菱形形状の溝
１ｂ      ボタン
１ｃ      二重の略菱形形状の溝
１ｄ      渦巻き形状の溝
１ｅ      略菱形形状の凸条部
２        蓋部
２ａ      略菱形形状の溝
２ｂ      二重の略菱形形状の溝
２ｃ      渦巻き形状の溝
２ｄ      略菱形形状の凸条部
【図１】
2009111840.tif 000003
【図２】
2009111840.tif 000004
【図３】
2009111840.tif 000005
【図４】
2009111840.tif 000006
【図５】
2009111840.tif 000007
【図６】
2009111840.tif 000008
【図７】
2009111840.tif 000009